(57)【要約】【課題】上下方向の位置の調節を簡単に行うことができるとともに、調節後の位置安定性も良好であり、かつハンガー本体が支持杆の回りに回動しないようにする。【解決手段】椅子における背凭れ２の後方に上下動可能なハンガーを設けたハンガー付き椅子１において、ハンガー本体３と、このハンガー本体３から下方に延設された左右１対の支持杆８，９とを備えるハンガー部材４を設けるとともに、背凭れ２の後面に、支持杆８，９が上下摺動可能に嵌合する左右１対の上下方向を向く溝部１４を有する支持部材５を設け、両溝部１４の底部１４ａに、支持杆８，９の前面側に複数形成された凹部１７ａ，１７ｂに係合可能な係合凸部１９を設け、支持部材５に、左右方向中央部が止着され、かつ両支持杆８，９の後面側と前面側左右が当接して両支持杆８，９を係合凸部１９側へと弾性付勢する板ばね６を設ける。【選択図】        図２
2004159745.tif 000002
【特許請求の範囲】
【請求項１】
椅子における背凭れの後方に上下動可能なハンガーを設けたハンガー付き椅子において、ハンガー本体と、このハンガー本体から下方に延設された左右１対の支持杆とを備えるハンガー部材を設けるとともに、背凭れの後面に、前記支持杆が上下摺動可能に嵌合する左右１対の上下方向を向く溝部を有する支持部材を設け、前記両溝部の底部に、前記支持杆の前面側に複数形成された凹部に係合可能な係合凸部を設け、前記支持部材に、左右方向中央部が止着され、かつ前記両支持杆の後面側と前面側左右が当接して両支持杆を係合凸部側へと弾性付勢する板ばねを設けたことを特徴とするハンガー付き椅子。
【請求項２】
前記係合凸部を、左右方向を向く回動可能な円柱体としたことを特徴とする請求項１記載のハンガー付き椅子。
【請求項３】
前記支持部材に、支持部材の後面側を覆うカバー部材を取り付けたことを特徴とする請求項１または２に記載のハンガー付き椅子。
【請求項４】
前記支持杆を、後方凸状をなす円弧形状としたことを特徴とする請求項１〜３のいずれかに記載のハンガー付き椅子。
【請求項５】
前記支持杆における最上部の凹部の上面形状を、前記係合凸部の上方移動を阻止するようなものとするとともに、支持杆における最下部の凹部の下面形状を、前記係合凸部の下方移動を阻止するようなものとしたことを特徴とする請求項１〜４のいずれかに記載のハンガー付き椅子。
【発明の詳細な説明】
【０００１】
【発明の属する技術分野】
本発明は、椅子における背凭れの後方に、上下動可能なハンガーを設けたハンガー付き椅子に関する。
【０００２】
【従来の技術】
椅子における背凭れの後方に、上下動可能なハンガーを設けたものとしては、ハンガー本体の下部中央に１本の支持杆を取り付け、この支持杆を背凭れの後方に取り付けた中空軸に挿入し、上下方向の位置を調節した後に、ボルトで固定する形態のものが公知である（たとえば、実用新案文献１、２）。
【０００３】
その他、同じく上下動可能な支持杆の上端に折りたたみ式のハンガーを取り付けたものも公知である（たとえば、特許文献１）。
【０００４】
しかし、前者は、調節ボルトで固定してあるため上下方向の位置調節が面倒であるとともに、その調節ボルトが緩むとハンガー本体が下方にずり落ちたり、さらに１本の支持杆でハンガー本体を支持しているため、ハンガー本体が、支持杆の回りに回動するおそれもある。
また、後者は、折りたたみ式のため、構造が複雑である。
【０００５】
【実用新案文献１】
実開平６−４５５５３号公報
【実用新案文献２】
実開平５−７１７９号公報
【特許文献１】
特開平９−２０６１６９号公報
【０００６】
【発明が解決しようとする課題】
本発明は、前記の現状に鑑み、上下方向の位置の調節を、調節ボルトを用いることなく簡単に行うことができるとともに、調節後の位置安定性も良好であり、かつハンガー本体が支持杆の回りに回動することがないハンガー付き椅子を提供することを目的とする。
【０００７】
【課題を解決するための手段】
本発明によると、上記課題は、次のようにして解決される。
（１）  椅子における背凭れの後方に上下動可能なハンガーを設けたハンガー付き椅子において、ハンガー本体と、このハンガー本体から下方に延設された左右１対の支持杆とを備えるハンガー部材を設けるとともに、背凭れの後面に、前記支持杆が上下摺動可能に嵌合する左右１対の上下方向を向く溝部を有する支持部材を設け、前記両溝部の底部に、前記支持杆の前面側に複数形成された凹部に係合可能な係合凸部を設け、前記支持部材に、左右方向中央部が止着され、かつ前記両支持杆の後面側と前面側左右が当接して両支持杆を係合凸部側へと弾性付勢する板ばねを設ける。
【０００８】
（２）  上記（１）項において、前記係合凸部を、左右方向を向く回動可能な円柱体とする。
【０００９】
（３）  上記（１）項または（２）項において、前記支持部材に、支持部材の後面側を覆うカバー部材を取り付ける。
【００１０】
（４）  上記（１）項〜（３）項のいずれかにおいて、前記支持杆を、後方凸状をなす円弧形状とする。
【００１１】
（５）  上記（１）項〜（４）項のいずれかにおいて、前記支持杆における最上部の凹部の上面形状を、前記係合凸部の上方移動を阻止するようなものとするとともに、支持杆における最下部の凹部の下面形状を、前記係合凸部の下方移動を阻止するようなものとする。
【００１２】
【発明の実施の形態】
図１は、本発明の一実施形態のハンガー付き椅子の側面図、図２は、図１に示すハンガー付き椅子における要部の分解斜視図、図３は、同じく要部の背面図、図４は、図３におけるＩＶ〜ＩＶ線縦断面図である。
【００１３】
本発明のハンガー付き椅子（１）は、背凭れ（２）の後方に、上下動可能なハンガー（３）が設けられている。
ハンガー（３）は、ハンガー部材（４）と支持部材（５）と板ばね（６）とにより形成されている。
【００１４】
ハンガー部材（４）は、ハンガー本体（７）と、このハンガー本体（７）から下方に延設された左右１対の支持杆（８）（９）とを備えており、このハンガー部材（４）が、背凭れ（２）の後面（１０）に取付けられた支持部材（５）によって上下摺動可能に支持されている。
【００１５】
ハンガー本体（７）は、背広等が掛けられる程度の長さに左右方向に延び、側面視がほぼ下向き凹状で、背面視がやや下向きに凸状に湾曲した形状を有している。
【００１６】
左右１対の支持杆（８）（９）は、それぞれ上下方向の縦杆部（８ａ）（９ａ）と、両支持杆（８）（９）を下限係止位置まで下方に移動させた状態において、前記縦杆部（８ａ）（９ａ）の上端から上方に向かうに従って左右方向に互いに離間するとともに後方斜め上方に向けて延設された延杆部（８ｂ）（９ｂ）と、前記両支持杆（８）（９）を、上限係止位置まで上方に移動させた状態において、縦杆部（８ａ）（９ａ）の下端からわずかに下方に突出し、下方に向かうに従って互いに接近する方向に湾曲された連結部（８ｃ）（９ｃ）とよりなり、両支持杆（８）（９）は、前記連結部（８ｃ）（９ｃ）の下端において、相互に連結されて一体化されている。
【００１７】
前記延杆部（８ｂ）（９ｂ）の上端は、扁平に形成されるとともに、上下方向の通孔（８ｄ）（９ｄ）が穿設されて取付部（８ｅ）（９ｅ）が形成されている。
この取付部（８ｅ）（９ｅ）を、ハンガー本体（７）の左右端近傍の下面（７ａ）（７ａ）に、前記通孔（８ｄ）（９ｄ）に挿通させたビス（１１）（１１）をもって止着することにより、支持杆（８）（９）をハンガー本体（７）に取付けてある。
【００１８】
支持部材（５）は、背面視において、横長なほぼＨ字型をなし、前後方向のほぼ中央において分割されて、前方の本体部材（１２）と後方の蓋部材（１３）とより形成されている。
【００１９】
本体部材（１２）と蓋部材（１３）の、互いに対面する、本体部材（１２）の後面（１２ａ）と蓋部材（１３）の前面（１３ａ）における左右端には、断面が半円状の上下方向の溝部（１４）（１５）が設けられ、本体部材（１２）と蓋部材（１３）の両者の溝部（１４）（１５）によって、上下方向の案内孔（１６）が形成されるようになっている。
【００２０】
この左右の案内孔（１６）（１６）に、左右の支持杆（８）（９）における縦杆部（８ａ）（９ａ）が挿通されてハンガー部材（４）が上下摺動可能になっている。
【００２１】
図２、図４に示すように、左右の支持杆（８）（９）における縦杆部（８ａ）（９ａ）の前面（８ｆ）（９ｆ）側の上下には、凹部（１７ａ）（１７ｂ）が設けられている。
【００２２】
支持部材（５）のうち本体部材（１２）の溝部（１４）における底部（１４ａ）には、左右方向の溝孔（１８）が設けられ、この溝孔（１８）に、左右方向を向く円柱体（１９）が遊嵌されて、左右方向の軸回りに回動可能になっている。円柱体（１９）の左右方向の中央部（１９ａ）は、その一部が前記溝部（１８）から突出して、支持杆（８）（９）における前記凹部（１７ａ）（１７ｂ）に係合可能な係合凸部の機能を有している。
【００２３】
図５は、図３におけるＶ−Ｖ線横断面図である。
図５、図２に示すように、支持杆（８）（９）は、前記本体部材（１２）に、その左右中央の通孔（２０）を介して、ボルト（２１ａ）およびナット（２１ｂ）をもって止着されている板ばね（６）によって前方に弾性付勢されている。
【００２４】
すなわち、板ばね（６）は、左右方向に長い長方形状をなし、左右方向中央の通孔（６ａ）に、前記ボルト（２１ａ）を貫挿させて、本体部材（１２）に取り付けられているため、板ばね（６）の前面（６ｂ）の左右が、支持杆（８）（９）の後面（８ｇ）（９ｇ）と当接して、支持杆（８）（９）を前方に弾性付勢している。
そのため前記溝部（１８）から突出する、円柱体（１９）の中央部（１９ａ）は、支持杆（８）（９）における上下の凹部（１７ａ）（１７ｂ）に良好に係合し得るようになっている。
【００２５】
図６（ａ）は、支持杆（８）（９）の縦杆部（８ａ）（９ａ）における上側の凹部（１７ａ）周辺の部分断面図、図６（ｂ）は同じく下側の凹部（１７ｂ）周辺の部分断面図である。
図６（ａ）に示すように、上側の凹部（１７ａ）における上面（１７ｃ）の形状は、係合凸部の機能を有する前記円柱体（１９）が、前記凹部（１７ａ）との係合が外れて上方に移動するのを阻止するような形状に形成されている。すなわち支持杆（８）（９）における、縦杆部（８ａ）（９ａ）の前面（８ｆ）（９ｆ）と、前記上面（１７ｃ）とのなす角θ１が、９０度に近く、通常１３０度以下、好ましくは１１５度以下に形成されている。
【００２６】
このようにすることによって、ハンガー（３）を使用後に、ハンガー部材（４）を下げて背凭れ（２）の後方に収容する場合に、ハンガー部材（４）が所定の収容位置を越えて下方に過度に下がることを防止することができる。
【００２７】
また、図６（ｂ）に示すように、下側の凹部（１７ｂ）における下面（１７ｄ）の形状は、係合凸部の機能を有する前記円柱体（１９）が、前記凹部（１７ｂ）との係合が外れて下方に移動するのを阻止するような形状に形成されている。すなわち、支持杆（８）（９）における縦杆部（８ａ）（９ａ）の前面（８ｆ）（９ｆ）と、前記下面（１７ｄ）とのなる角θ２が、９０度に近く、通常１３０度以下、好ましくは、１１５度以下に形成されている。
【００２８】
このようにすることによって、ハンガー（３）を使用しようとする際に、背凭れ（２）の後方に収容されているハンガー部材（４）を、所定の使用位置まで上方に移動させる場合に、ハンガー部材（４）が前記所定の使用位置を越えて上方に過度に移動することを防止することができる。
【００２９】
支持杆（８）（９）は、図４に示すように、後方凸状をなすやや円弧形状に形成されている。これは、支持杆（８）（９）を上下方向に摺動させる際に、板ばね（６）の上下縁端（６ｃ）（６ｄ）によって、支持杆（８）（９）の後面（８ｇ）（９ｇ）が擦られて傷つくことがないようにするためである。
【００３０】
一般にハンガー（３）は、必要に応じて取り付けられる。そのため背凭れ（２）は、ハンガー（３）を取り付けるタイプと取り付けないタイプの両者に対応できるように形成することが望まれる。
このため、図２に示すように、背凭れ（２）の後面（１０）の左右中央に、横長な凹部（２２）が設けられ、この凹部（２２）の中央に、同じく横長な凹状の被係合部（２３）が設けられ、この被係合部（２３）の左右に雌ねじ部（２４）（２４）が設けられている。
【００３１】
被係合部（２３）は、ハンガー（３）を取り付けない場合に、雌ねじ部（２４）（２４）を覆うカバー部材（２５）を取り付けるためのものであり、雌ねじ部（２４）（２４）は、ハンガー（３）を取り付ける場合に、ハンガー部材（４）を支持する支持部材（５）を取り付けるためのものである。
【００３２】
カバー部材（２５）は、前記凹部（２２）内に嵌り込むように、凹部（２２）と同じ横長な形状をなし、前面（２５ａ）の左右には、前記凹部（２２）内の被係合部（２３）と係合する係合部（２６）（２６）が設けられている。すなわち、前記被係合部（２３）の左右端は、奥広となっており、前記係合部（２６）（２６）は、左右方向外向きの係合爪（２６ａ）（２６ａ）を有し、前記被係合部（２３）の奥広な左右端に係合させることによって、カバー部材（２５）を背凭れ（２）の後面（１０）に取り付けることができる。前記凹部（２２）内の雌ねじ部（２４）（２４）は、カバー部材（２５）により覆われ、外部に露出しないため、外観を損なうことがない。
カバー部材（２５）の後面（２５ｂ）は、たとえば、ネームプレートとしても利用することができる。
【００３３】
一方、ハンガー（３）を取り付ける場合は、次の手順による。
まず、カバー部材（２５）と、背凭れ（２）との間に、ドライバーなどを差し込み、カバー部材（２５）を取り外す。
【００３４】
次いで、左右１対の支持杆（８）（９）における縦杆部（８ａ）（９ａ）を、支持部材（５）の本体部材（１２）における左右の溝部（１４）（１４）に嵌め込み、前記したように、後方から板ばね（６）を、ボルト（２１ａ）およびナット（２１ｂ）によって、本体部材（１２）に止着し、この板ばね（６）によって、支持杆（８）（９）を前方に弾性付勢する。
なお、円柱体（１９）は、予め溝部（１４）の底部（１４ａ）における溝孔（１８）に遊嵌させておく。
【００３５】
次に、蓋部材（１３）を、後方から次のようにして、本体部材（１２）と係合させて一体化させる。
【００３６】
図７は、図３におけるＶＩＩ〜ＶＩＩ線縦断面図である。図７、図２に示すように、蓋部材（１３）の前面（１３ａ）における左右の溝部（１５）（１５）の内方には、それぞれ上下に、前端に係合爪（２７ａ）を有する係合部（２７）が設けられ、本体部材（１２）の後面（１２ａ）には、前記係合部（２７）（２７）が係合する被係合孔（２８）（２８）が対応する位置に設けられている。
【００３７】
蓋部材（１３）を、後方から、前記係合部（２７）（２７）を、本体部材（１２）の被係合孔（２８）（２８）に係合させることにより、蓋部材（１３）を、容易に本体部材（１２）に一体化させることができる。
【００３８】
本体部材（１２）、板ばね（６）、蓋部材（１３）には、背凭れ（２）の後面（１０）における左右１対の雌ねじ部（２４）に対応する位置に、それぞれ通孔（２９）（３０）（３１）が穿設されている。
【００３９】
１対のボルト（３２）（３２）を、後方から、前記通孔（２９）（３０）（３１）に挿通させて、背凭れ（２）の後面（１０）における雌ねじ部（２４）（２４）に螺合することによって、ハンガー部材（４）を支持する支持部材（５）を板ばね（６）とともに、背凭れ（２）の後面（１０）に容易に止着することができる。
【００４０】
図８は、カバー部材（２５）を蓋部材（１３）に取り付けた場合の、図２におけるＶＩＩＩ〜ＶＩＩＩ線横断面図である。
図２、図８に示すように、蓋部材（１３）の後面（１３ｂ）には、背凭れ（２）の後面（１０）における凹部（２２）および被係合部（２３）とほぼ同形の凹部（３３）および被係合部（３４）が設けられている。
【００４１】
そのため背凭れ（２）から取り外したカバー部材（２５）を、背凭れ（２）の後面（１０）に取り付けていたのと同様に、カバー部材（２５）の左右の係合部（２６）（２６）における係合爪（２６ａ）（２６ａ）を、蓋部材（１３）の前記被係合部（２３）の左右端に係合させることによって、カバー部材（２５）を蓋部材（１３）の後面（１３ｂ）に容易に取り付けることができる。
【００４２】
カバー部材（２５）の取り付けによって、ボルト（３２）（３２）の頭部を覆い、外部に露出させずに、外観を良好にすることができる。
【００４３】
【発明の効果】
本発明によると、次のような効果が奏せられる。
（１）  請求項１記載の発明によれば、ハンガー本体の上下方向の位置の調節を、支持杆の前面側に形成した複数の凹部に、支持部材に設けた係合凸部を係合させることによって行うため、従来のようにボルトで行う場合と異なり簡単に行うことができる。
また、板ばねによって、支持杆を係合凸部側へ弾性付勢しているため調節後の位置安定性も良好である。
さらに、ハンガー本体を、左右１対の支持杆により支持しているため、ハンガー本体が支持杆の回りに回動して、座者の頭部に当たるという不都合も生じない。
【００４４】
（２）  請求項２記載の発明によれば、円柱体が、支持杆の凹部に係合する係合凸部として機能するとともに、円柱体が回動可能であるため、支持杆を上下方向に摺動させる際に、一種のコロとして作用し、ハンガー本体を支持杆とともに、比較的小さな力で円滑に上下動させることができる。
【００４５】
（３）  請求項３記載の発明によれば、支持部材を、背凭れの後面に取り付けたボルトの頭部を、カバー部材で覆うことができ、外部に露出させずに、外観を良好にすることができる。
【００４６】
（４）  請求項４記載の発明によれば、支持杆の後面を、板ばねの上下縁端によって擦って傷つけることを、有効に防止することができる。
【００４７】
（５）  請求項５記載の発明によれば、最上部の凹部の上面形状を、係合凸部の上方移動を阻止するようなものとすることにより、ハンガー部材を下げて背凭れの後方に収容する場合に、ハンガー部材が所定の収容位置を越えて下方に過度に下がることを防止することができる。
また、最下部の凹部の下面形状を、係合凸部の下方移動を阻止するようなものとすることにより、ハンガーを使用しようとする際に、背凭れの後方に収容されているハンガー部材を、所定の使用位置まで上方に移動させる場合に、ハンガー部材が前記所定の使用位置を越えて上方に過度に移動することを防止することができる。
【図面の簡単な説明】
【図１】本発明の一実施形態のハンガー付き椅子の側面図である。
【図２】図１に示すハンガー付き椅子における要部の分解斜視図である。
【図３】同じく、要部の背面図である。
【図４】図３におけるＩＶ〜ＩＶ線縦断面図である。
【図５】図３におけるＶ〜Ｖ線横断面図である。
【図６】（ａ）図は、支持杆の上側の凹部周辺の部分断面図である。（ｂ）図は、同じく下側の凹部周辺の部分断面図である。
【図７】図３におけるＶＩＩ〜ＶＩＩ線縦断面図である。
【図８】カバー部材を蓋部材に取り付けた場合の、図２におけるＶＩＩＩ〜ＶＩＩＩ線横断面図である。
【符号の説明】
（１）ハンガー付き椅子
（２）背凭れ
（３）ハンガー
（４）ハンガー部材
（５）支持部材
（６）板ばね
（６ａ）通孔
（６ｂ）前面
（６ｃ）上縁端
（６ｄ）下縁端
（７）ハンガー本体
（７ａ）下面
（８）（９）支持杆
（８ａ）（９ａ）縦杆部
（８ｂ）（９ｂ）延杆部
（８ｃ）（９ｃ）連結部
（８ｄ）（９ｄ）通孔
（８ｅ）（９ｅ）取付部
（８ｆ）（９ｆ）前面
（８ｇ）（９ｇ）後面
（１０）後面
（１１）ビス
（１２）本体部材
（１２ａ）後面
（１２ｂ）前面
（１３）蓋部材
（１３ａ）前面
（１３ｂ）後面
（１４）（１５）溝部
（１４ａ）底部
（１６）案内孔
（１７ａ）（１７ｂ）凹部
（１７ｃ）上面
（１７ｄ）下面
（１８）溝孔
（１９）円柱体
（１９ａ）中央部
（２０）通孔
（２１ａ）ボルト
（２１ｂ）ナット
（２２）凹部
（２３）被係合部
（２４）雌ねじ部
（２５）カバー部材
（２５ａ）前面
（２５ｂ）後面
（２６）係合部
（２６ａ）係合爪
（２７）係合部
（２７ａ）係合爪
（２８）被係合孔
（２９）（３０）（３１）通孔
（３２）ボルト
（３３）凹部
（３４）被係合部
【図１】
2004159745.tif 000003
【図２】
2004159745.tif 000004
【図３】
2004159745.tif 000005
【図４】
2004159745.tif 000006
【図５】
2004159745.tif 000007
【図６】
2004159745.tif 000008
【図７】
2004159745.tif 000009
【図８】
2004159745.tif 000010